(57)【要約】【課題】机上の載置時のユーザの視認性を向上する。【解決手段】携帯時は、主操作部２１を上部ハウジング１によって下部ハウジング２の上面の主操作部２１を覆い隠して保護する（ａ１、ｂ１）。手持ち利用時は、上部ハウジング１を上部ハウジング１に対してスライドして主操作部２１を露出させメインディスプレイ１１と主操作部２１を用いた各種操作や、通話用スピーカとマイク２２を用いた通話を可能とする（ａ２、ｂ２）。机上設置利用時は、上部ハウジング１を下部ハウジング２に対してスライド、回転させて、上部ハウジング１と下部ハウジング２が、相互に他方のスタンドとして機能するようにする。そして、主操作部２１を用いた各種操作や、マイク２２やハンズフリー通話用スピーカ２３やカメラ１４やサブディスプレイ１５を用いたハンズフリー通話やハンズフリーテレビ電話を可能とする（ａ３、ｂ３、ｃ）。【選択図】図１
2005175777.tif 000002
【特許請求の範囲】
【請求項１】
上面に操作部が設けられた第１のハウジングと、前記操作部を覆う第１の位置と前記操作部を露出させる第２の位置との間を前記第１のハウジングに対してスライド可能に、当該第１のハウジングに連結された第２のハウジングとを有する携帯型電話機であって、
前記第２のハウジングは、前記第２の位置と、前記第１のハウジングに対して前記スライド方向と垂直かつ前記第１のハウジングの上面と平行な軸を回転軸として回転した第３の位置との間を、回動可能に前記第１のハウジングに連結されていることを特徴とする携帯型電話機。
【請求項２】
請求項１記載の携帯型電話機であって、
前記第３の位置にある前記第２のハウジングを、前記第１のハウジングを前記操作部が斜め上方を向くように傾斜させた状態で支持するスタンドとして、当該携帯型電話機を平面上に載置可能であることを特徴とする携帯型電話機。
【請求項３】
請求項１または２記載の携帯型電話機であって、
前記第２のハウジングの回転軸は、当該第２のハウジングの、前記スライド方向の長さ方向についての中途に位置し、
前記第１のハウジングを、前記第３の位置にある第２のハウジングを傾斜した状態で支持するスタンドとして、当該携帯型電話機を平面上に載置可能であり、
前記第２ハウジングの下面には、前記第１のハウジングを前記第２のハウジングのスタンドとして当該携帯型電話機を平面に載置した状態において、前記第１のハウジングの上方の位置において斜め上方を向く表示部が設けられていることを特徴とする携帯型電話機。
【請求項４】
請求項３記載の携帯型電話機であって、
前記第２ハウジングの下面には、前記第２ハウジングの下面には、前記第１のハウジングを前記第２のハウジングのスタンドとして当該携帯型電話機を平面に載置した状態において、前記第１のハウジングの上方に位置するカメラが設けられていることを特徴とする携帯型電話機。
【発明の詳細な説明】
【技術分野】
【０００１】
本発明は、携帯型電話機の展開構造に関するものである。
【背景技術】
【０００２】
携帯電話と呼称される移動電話機やＰＨＳなどの携帯型電話機では、テンキーなどの操作部の誤操作や保護を図るために、携帯型電話機を上部ハウジングと下部ハウジングに分割し、携帯型電話機の非使用時には、上部ハウジングによって、下部ハウジング上面に設けた操作部を保護しつつ、携帯型電話機の使用時には上部ハウジングを下部ハウジングに対して展開して、下部ハウジング上面に設けた操作部を露出させて、当該操作部を使用可能とする技術が広く用いられている。
【０００３】
すなわち、たとえば、このような上部ハウジングを下部ハウジングに対して展開可能な構造を備えた携帯型電話機としては、上部ハウジングを、下部ハウジング上面に設けた操作部を覆う位置から、下部ハウジングの上面の操作部を露出させる位置まで、下部ハウジング対して相対的にスライドするスライドタイプの携帯型電話機が知られている（たとえば、特許文献１）。
【０００４】
また、上部ハウジングと下部ハウジングをヒンジで連結し、下部ハウジング上面に設けたキー操作部を覆う位置と、下部ハウジングの上面の操作部を露出させる位置との間で、上部ハウジングを下部ハウジング対して開閉するフリップタイプの携帯型電話機も知られている（たとえば、特許文献２）。
【０００５】
一方、電話機を用いたユーザの通話をサポートする技術としては、電話機を机上などに載置したまま、電話機に備えたマイクとスピーカを用いた通話を、ユーザが手ぶらで行うことを可能とするハンズフリー通話の技術が知られている（たとえば、特許文献３）。
【０００６】
また、最近では携帯型電話機間の映像と音声を用いたコミュニケーションを実現する、いわゆるテレビ電話も普及しつつある。また、携帯型電話機に、液晶表示パネルを備えると共に、携帯型電話機に電子メール端末としての機能やＷＥＢブラウザとしての機能を備えることも一般化している。また、テレビ受信機としての機能を備えた携帯型電話機も実用化されつつある。
【０００７】
この出願の発明に関連する先行技術文献情報としては以下のものがある。
【特許文献１】特開２００２−３００２４３
【特許文献２】特開２００２−３１４６５４
【特許文献３】特開平０５−０４８７０７
【発明の開示】
【発明が解決しようとする課題】
【０００８】
前記スライドタイプやフリップタイプの携帯型電話機によれば、携帯型電話機を手に持たずに机上においた状態で、携帯型電話機をテレビ受信機や電子メール端末やＷＥＢブラウザとしたり、携帯型電話機を用いてハンズフリーのテレビ電話通話を行う場合に、携帯型電話機に、当該携帯電話機の使用に適した姿勢をとらせることが困難であるという問題がある。
【０００９】
すなわち、スライドタイプの携帯電話機であれば、机上に載置すると、操作部も液晶表示パネルも机の上面の平行とならざるを得ず、上方よりのぞき込む無理な態勢を取らなければ液晶表示パネルを良好に視ることができない。
一方、フリップタイプの携帯型電話機も同様であり、上部ハウジング上部に設けたスピーカと下部ハウジング下部に設けたマイクによって通話を行う関係上、上部ハウジングの下部ハウジングに対する最大開角度は比較的大きく、かつ、ある程度開いた上部ハウジングに対しては最大開角度に収束するように下部ハウジング対して開く方向のトルクが与えられるようになっているので、液晶表示パネルが視認に適した角度となるように、携帯型電話機の姿勢を安定的に設定することが困難である。
【００１０】
そこで、本発明は、机上の載置した場合に、ユーザの使用に適した姿勢を安定的にとることのできる携帯型電話機を提供することを課題とする。
【課題を解決するための手段】
【００１１】
前記課題達成のために本発明は、上面に操作部が設けられた第１のハウジングと、前記操作部を覆う第１の位置と前記操作部を露出させる第２の位置との間を前記第１のハウジングに対してスライド可能に、当該第１のハウジングに連結された第２のハウジングとを有する携帯型電話機において、前記第２のハウジングを、前記第２の位置と、前記第１のハウジングに対して前記スライド方向と垂直かつ前記第１のハウジングの上面と平行な軸を回転軸として回転した第３の位置との間を、回動可能に前記第１のハウジングに連結したものである。
【００１２】
このような携帯型電話機によれば、前記第２のハウジングが前記第３の位置にある状態において、当該携帯型電話機を平面上に載置する際に、前記第２のハウジングが、前記第１のハウジングを前記操作部が斜め上方を向くように傾斜させた状態で支持するスタンドとして機能するように、携帯型電話機を構成することができる。
したがって、このような携帯型電話機によれば、操作部が傾斜した操作しやすい形態で、携帯型電話機を机上に安定的に載置して利用することができるようになる。
また、このような携帯型電話機において、前記第２のハウジングの回転軸を、当該第２のハウジングの、前記スライド方向の長さ方向についての中途に位置されるようにすれば、当該携帯型電話機を平面上に載置する際に、前記第１のハウジングが、前記第３の位置にある前記第２のハウジングを傾斜した状態で支持するスタンドとして機能するように構成することができる。そして、前記第２ハウジングの下面に、前記第１のハウジングを前記第２のハウジングのスタンドとして当該携帯型電話機を平面に載置した状態において、前記第１のハウジングの上方の位置において斜め上方を向く表示部を設ければ、表示部が傾斜した視認しやすい形態で、携帯型電話機を机上に安定的に載置して利用することができるようになる。
【００１３】
なお、この場合には、前記第２ハウジングの下面には、前記第１のハウジングを前記第２のハウジングのスタンドとして当該携帯型電話機を平面に載置した状態おいて、前記第１のハウジングの上方に位置するカメラを設ければ、表示部とカメラを用いて、ハンズフリーによるテレビ電話を、机上に携帯型電話機を載置した状態で良好な視認性と撮影視野をもって行えるようになる。
【発明の効果】
【００１４】
以上のように、本発明によれば、机上の載置した場合に、ユーザの使用に適した姿勢を安定的にとることのできる携帯型電話機を提供することができる。
【発明を実施するための最良の形態】
【００１５】
以下、本発明の実施形態について説明する。
図１に、本実施形態に係る携帯電話機の構造を示す。
図中ａ１とｂ１は携帯時の携帯電話機の形態を示しており、ａ１が携帯電話機の上面図をｂ１が携帯電話機の右側面図を示している。また、図中ａ２とｂ２は手持ち通話時の携帯電話機の形態を示しており、ａ２が携帯電話機の上面図をｂ２が携帯電話機の右側面図を示している。また、図中ａ３とｂ３は机上利用時の携帯電話機の形態を示しており、ａ３が携帯電話機の上面図をｂ３が携帯電話機の右側面図を示している。また、図中ｃは机上利用時の形携帯電話機の斜視図を現している。
【００１６】
図示するように、本実施形態に係る携帯電話機は、上部ハウジング１と、下部ハウジング２と、上部ハウジング１と下部ハウジング２をスライド可能かつ回転可能に連結する連結部３とを備える。
また、上部ハウジング１の上面（図１aの紙面に対して垂直手前方向）にはメインディスプレイ１１と、手持通話用スピーカ１２と、機能キー群１３が設けられている。また、下部ハウジング２の上面の前方（図１ａの下方向）にはテンキーや発信ボタンや切断ボタンを含む主操作部２１と、マイク２２が設けられている。また、下部ハウジング２の上面の後方（図１ａの上方向）には、ハンズフリー通話用スピーカ２３と、モニタディスプレイ２４が設けられている。そして、さらに、携帯時の形態における上部ハウジング１の下面の前方には、カメラ１４とサブディスプレイ１５が設けられている。
【００１７】
さて、このような上部ハウジング１と下部ハウジング２は連結部３によって連結されており、連結部３のスライド機能によって、上部ハウジング１を、図１ａ１、ｂ１に示す主操作部２１を覆い隠すように下部ハウジング２に重なる位置から、図１ａ２、ｂ２に示す主操作部２１を露出させた位置まで、下部ハウジング２に対して後方に平行にスライドさせてロックすることができる。また、連結部３の回転機能によって、上部ハウジング１を、図１ａ２、ｂ２に示す位置から、図１ａ３、ｂ３に示すサブディスプレイ１５が主操作部２１側に表れる位置まで下部ハウジング対して９０度以上回転させることができる。また、この回転した状態において、机上に携帯電話機を載せ置くと、図１ｃに示すように、上部ハウジング１と下部ハウジング２は、相互に他方のスタンドとして機能する。そして、これにより、上部ハウジング１の上面の主操作部２１と下部ハウジング２の下面のサブディスプレイ１５とカメラ１４に９０度以下の角度をもたせた状態で安定的に机上に設置することできるようになる。なお、上部ハウジング１の最大回転角度は、図１のａ３、ｂ３に示した角度に連結部３によって制限されている。
【００１８】
このように、本実施形態によれば、ユーザは、携帯電話機を携帯するときには、図１ａ１、ｂ１に示す主操作部２１を上部ハウジング１によって覆い隠して保護した形態とすることができる。また、手持ちの形態で形態電話機を利用するときには、上部ハウジング１をスライドさせて、図ａ２、ｂ２に示す主操作部２１を露出させた形態として、メインディスプレイ１１と主操作部２１を用いた各種操作や、通話用スピーカとマイク２２を用いた通話を行うことができる。また、さらに、机上に設置して携帯電話機を利用したい場合には、上部ハウジング１をスライド、回転させて図１ａ３、ｂ３に示す形態として、主操作部２１とサブディスプレイ１５とカメラ１４に９０度以下の角度をもたせた状態で携帯電話機を机上に自立させて、サブディスプレイ１５やモニタディスプレイ２４や主操作部２１を用いた各種操作や、マイク２２とハンズフリー通話用スピーカ２３を用いたハンズフリー通話や、マイク２２とハンズフリー通話用スピーカ２３に加えカメラ１４とサブディスプレイ１５やモニタディスプレイ２４を用いたハンズフリーテレビ電話を行うことができる。
【００１９】
次に、このような携帯電話機において上部ハウジング１と下部ハウジング２の連結に用いる連結部３の構成について説明する。
図２に連結部３の構成を示す。
図中ａは連結部３の上面図を、図中ｂは連結部３の右側面図を示すものであり、図中ｃは連結部３の分解図を示すものである。
図示するように、この連結部３は、スライド部材３１と、板バネ３２と、二つのΩ形状のロック用バネ３３と、スライド部材３１を収容するシャーシ３４と、スライド部材３１のスライドをガイドするためのガイド孔３５が形成されたケース３６と、リンク３７と、ヒンジ３８とからなる。そして、シャーシ３４の底面には、ロック用バネ３３を位置決めするための突起３４１が設けられている。また、シャーシ３４の上部には、上部ハウジング取り付け用の孔３４２が設けられている。そして、シャーシ３４の底面側４角には、ケース３６の側面に形成した突起形状と嵌合する切欠設けられており、これらの突起形状と切欠の嵌合によって、ケース３６は、ケース３６とシャーシ３４との間にスライド部材３１と板バネ３２と二つのロック用バネ３３を収容した状態で、シャーシ３４に組み付けられる。また、ケース３６とシャーシ３４は、このように組み付けた後、レーザ溶接やネジ止めなどによって相互に連結される。そして、シャーシ３４は孔３４２を用いて、上部ハウジング１にネジ止めされる。
【００２０】
また、スライド部材３１には、ネジ孔が設けられた固定部３１１が設けられている。そして、固定部３１１のネジ孔には、リンク３７の一方の端がネジ止めされる。また、リンク３７の他方の端は回転角度リミッタ付きのヒンジ３８に連結され、ヒンジ３８は下部ハウジング２に固定される。
【００２１】
ここで、スライド部材３１のスライド方向両端部は、くびれを有する突形状部３１２となっており、スライドの両端の位置に達すると、スライド部材３１のスライド方向側端部の突形状部３１２が、ロック用バネ３３のΩ形状の開口部分を押し広げながらロック用バネ３３内に圧入され、ロックされるようになっている。
【００２２】
以上、本発明の実施形態について説明した。
ところで、以上の実施形態では、上部ハウジング１側に連結部３のシャーシ３４を設けたが、これは図３ａに示すように下部ハウジング２側に設けるようにしてもかまわない。ただし、図示した例では、リンク３７は、その一端をスライド部材３１に所定回転角度範囲内で回転可能に連結し、その他端を上部ハウジング１に固定している。なお、図中、ａ１は携帯時の携帯電話機の右側面図を、ａ２は手持ち通話時の携帯電話機の右側面図を、ａ３は机上利用時の携帯電話機の右側面図を示している。
【００２３】
また、以上の実施形態では、連結部３のリンク３７に対して下部ハウジング２が回転するように構成したが、これは図３ｂに示すように、リンク３７に対して上部ハウジング１が回転するように構成してもよい。ただし、図示した例では、リンク３７は、その一端をスライド部材３１に所定回転角度範囲内で回転可能に連結し、その他端を上部ハウジング１に固定している。なお、図中、ｂ１は携帯時の携帯電話機の右側面図を、ｂ２は手持ち通話時の携帯電話機の右側面図を、ｂ３は机上利用時の携帯電話機の右側面図を示している。
【００２４】
また、図３ｃに示すように、下部ハウジング２側にシャーシ３４を設けると共に、リンク３７に対して上部ハウジング１が回転するように構成してもよい。なお、図中、ｃ１は携帯時の携帯電話機の右側面図を、ｃ２は手持ち通話時の携帯電話機の右側面図を、ｃ３は机上利用時の携帯電話機の右側面図を示している。
【００２５】
また、以上の実施形態では、机上利用時には、上部ハウジング１を下部ハウジング２に対して回転し、上部ハウジング１の下面の前方に設けたサブディスプレイ１５を主操作部２１と同じ側に露出させるようにしたが、これは、図４に示すように、上部ハウジング１を下部ハウジング２に対して回転し、主操作部２１と逆側に、上部ハウジング１の下面の後方に設けたサブディスプレイ１５を露出させるようにしてもよい。
【００２６】
ここで、図４中ａ１とｂ１とｃ１は携帯時の携帯電話機の形態を示しており、ａ１が携帯電話機の上面図をｂ１が携帯電話機の右側面図をｃ１が携帯電話機の下面図を示している。また、図中ａ２とｂ２とｃ２は手持ち通話時の携帯電話機の形態を示しており、ａ２が携帯電話機の上面図をｂ２が携帯電話機の右側面図をｃ２が携帯電話機の下面図を示している。また、図中ａ３とｂ３とｃ３は机上利用時の携帯電話機の形態を示しており、ａ３が携帯電話機の上面図をｂ３が携帯電話機の右側面図をｃ３が携帯電話機の下面図を示している。また、図中ｄは机上利用時の形携帯電話機の斜視図を現している。
【００２７】
さて、図１に示した携帯電話機とは異なり、図４に示した携帯電話機では、サブディスプレイ１５とカメラ１４は、上部ハウジング１の下面の後方に配置されている。また、ハンズフリー通話用スピーカ２３が下部ハウジング２の下面に設けられている他、ハンズフリー通話用マイク２５が下部ハウジング２の下面に設けられている。
【００２８】
そして、机上設置時には、図４ａ３、ｂ３、ｃ３に示すように、上部ハウジング１を、図４ａ２、ｂ２、ｃ２の手持ち通話時の位置から、連結部３の回転機能によって、下部ハウジング対して９０度未満の所定角度傾ける。また、この回転した状態において、携帯電話機の下面がユーザに対して正面となるように裏返して机上に携帯電話機を載せ置くと、図ｄに示すように、上部ハウジング１と下部ハウジング２は、相互に他方のスタンドとして機能する。そして、これにより、下部ハウジング２の下面のサブディスプレイ１５とカメラ１４に９０度以下の角度をもたせた状態で安定的に机上に設置することできる。なお、下部ハウジング２が図示した角度で上部ハウジング１に対してロックされるように連結部３には適当なロック機構を設けるようにする。
【００２９】
このようにしても、ユーザは、携帯電話機を携帯するときには、図４ａ１、ｂ１、ｃ１に示す主操作部２１を上部ハウジング１によって覆い隠して保護した形態とすることができる。また、手持ちの形態で形態電話機を利用するときには、上部ハウジング１をスライドさせて、図４ａ２、ｂ２、ｃ２に示す主操作部２１を露出させた形態とし、メインディスプレイ１１と主操作部２１を用いた各種操作や、通話用スピーカとマイク２２を用いた通話を行ったりすることができる。また、さらに、机上に設置して携帯電話機を利用したい場合には、上部ハウジング１をスライド、回転させた図１ａ３、ｂ３、ｃ３に示す形態として、サブディスプレイ１５とカメラ１４に９０度以下の角度をもたせた状態で携帯電話機を机上に自立させて、ハンズフリー通話用マイク２５とハンズフリー通話用スピーカ２３を用いたハンズフリー通話や、ハンズフリー通話用マイク２５とハンズフリー通話用スピーカ２３に加えカメラ１４とサブディスプレイ１５を用いたハンズフリーテレビ電話を行うことができる。また、この構成は、手持ち通話時の形態において、メインディスプレイ１１をモニタとして、カメラ１４による画像撮影ができる利点もある。
【図面の簡単な説明】
【００３０】
【図１】本発明の実施形態に係る携帯電話機の展開構造を示す図である。
【図２】本発明の実施形態に係る連結部の構造を示す図である。
【図３】本発明の実施形態に係る携帯電話機の他の展開構造を示す図である。
【図４】本発明の実施形態に係る携帯電話機の他の展開構造を示す図である。
【符号の説明】
【００３１】
１…上部ハウジング、２…下部ハウジング、３…連結部、１１…メインディスプレイ、１２…手持通話用スピーカ、１３…機能キー群、１４…カメラ、１５…サブディスプレイ、２１…主操作部、２２…マイク、２３…ハンズフリー通話用スピーカ、２４…モニタディスプレイ、２５…ハンズフリー通話用マイク、３１…スライド部材、３２…板バネ、３３…ロック用バネ、３４…シャーシ、３５…ガイド孔、３６…ケース、３７…リンク、３８…ヒンジ、３１１…固定部、３１２…突形状部、３４２…孔。
【図１】
2005175777.tif 000003
【図２】
2005175777.tif 000004
【図３】
2005175777.tif 000005
【図４】
2005175777.tif 000006